(57)【要約】  本技術は、個人が作成したマルチメディアコンテンツに対して広告サイトへのリンクを張ることができるようにする情報処理装置及び方法、プログラム、並びに情報処理システムに関する。  関連付部は、第１のユーザにより第１のポスト先が指定されたコンテンツと所定の広告とを関連付ける。送信制御部は、所定の広告と関連付けられたコンテンツを、アフィリエイトコンテンツとして第１のポスト先に送信し、第１のポスト先においてアフィリエイトコンテンツが再生されて、第２のユーザにより第２のポスト先が指定された場合、第２のポスト先が指定されたアフィリエイトコンテンツの複製を、第２のポスト先に送信する。本技術は、広告を提供するサービスの分野で使用される情報処理装置に適用することができる。
2013141102.tif 000002
【特許請求の範囲】
【請求項１】
第１のユーザにより第１のポスト先が指定されたコンテンツと所定の広告とを関連付ける関連付部と、
前記関連付部により前記所定の広告と関連付けられた前記コンテンツを、アフィリエイトコンテンツとして前記第１のポスト先に送信し、前記第１のポスト先において前記アフィリエイトコンテンツが再生されて、第２のユーザにより第２のポスト先が指定された場合、前記第２のポスト先が指定された前記アフィリエイトコンテンツの複製を、前記第２のポスト先に送信する送信制御部と
を備える情報処理装置。
【請求項２】
前記コンテンツを解析してキーワードを抽出する抽出部
をさらに備え、
前記関連付部は、前記抽出部により抽出された前記キーワードと、前記所定の広告に関連するキーワードとが一致した場合、前記コンテンツと前記所定の広告とを関連付ける
請求項１に記載の情報処理装置。
【請求項３】
前記送信制御部は、前記アフィリエイトコンテンツの再生の指示が受け付けられた場合、前記所定の広告にリダイレクトする
請求項２に記載の情報処理装置。
【請求項４】
前記アフィリエイトコンテンツの再生の指示が受け付けられて前記所定の広告が再生された回数を記録し、前記回数に基づいて、広告主に対する請求額を演算する報酬演算部
をさらに備える
請求項３に記載の情報処理装置。
【請求項５】
前記報酬演算部は、前記請求額に基づいて、前記第１のユーザと、前記第２のユーザとのそれぞれの報酬額を演算する
請求項４に記載の情報処理装置
【請求項６】
第１のユーザにより第１のポスト先が指定されたコンテンツと所定の広告とを関連付け、
前記所定の広告と関連付けられた前記コンテンツを、アフィリエイトコンテンツとして前記第１のポスト先に送信し、前記第１のポスト先において前記アフィリエイトコンテンツが再生されて、第２のユーザにより第２のポスト先が指定された場合、前記第２のポスト先が指定された前記アフィリエイトコンテンツの複製を、前記第２のポスト先に送信する
ステップを含む情報処理方法。
【請求項７】
コンピュータを、
第１のユーザにより第１のポスト先が指定されたコンテンツと所定の広告とを関連付ける関連付部と、
前記関連付部により前記所定の広告と関連付けられた前記コンテンツを、アフィリエイトコンテンツとして前記第１のポスト先に送信し、前記第１のポスト先において前記アフィリエイトコンテンツが再生されて、第２のユーザにより第２のポスト先が指定された場合、前記第２のポスト先が指定された前記アフィリエイトコンテンツの複製を、前記第２のポスト先に送信する送信制御部
として機能させるためのプログラム。
【請求項８】
第１のユーザからコンテンツの第１のポスト先の指定を受け付ける受付部と、
前記第１のポスト先が指定された前記コンテンツをサーバに送信する送信制御部と
を有するユーザ端末と、
前記ユーザ端末から受信した、前記第１のユーザにより前記第１のポスト先が指定された前記コンテンツと所定の広告とを関連付ける関連付け部と、
前記関連付部により前記所定の広告と関連付けられた前記コンテンツを、アフィリエイトコンテンツとして前記第１のポスト先に送信し、前記第１のポスト先において前記アフィリエイトコンテンツが再生されて、第２のユーザにより第２のポスト先が指定された場合、前記第２のポスト先が指定された前記アフィリエイトコンテンツの複製を、前記第２のポスト先に送信する送信制御部と
を有するサーバと
を備える
情報処理システム。
【発明の詳細な説明】
【技術分野】
【０００１】
本技術は、情報処理装置及び方法、プログラム、並びに情報処理システムに関し、特に、個人が作成したマルチメディアコンテンツに対して広告サイトへのリンクを張ることができる、情報処理装置及び方法、プログラム、並びに情報処理システムに関する。
【背景技術】
【０００２】
従来のインターネット上の広告手法として、アフィリエイト広告手法が広く知られている。アフィリエイト広告手法では、コンテンツの閲覧者が、コンテンツに対して張られたリンクを経由して広告サイトを閲覧したり、広告サイトで会員登録したりすることを条件として、広告主からリンク元のコンテンツの管理者に報酬が支払われる。【０００３】
特許文献１には、ユーザが投稿したコメントから広告サイトに関連するテキストを検出して、検出されたテキストに対して広告サイトへのリンクを自動的に張る技術が記載されている。【０００４】
特許文献２には、画像や音声などのマルチメディアコンテンツに予め埋めこまれたタグ等のメタデータを読み出し、読み出されたメタデータに関連するリンクを張る技術が記載されている。
【先行技術文献】
【特許文献】
【０００５】
【特許文献１】特開２０１０−０８６３３１号公報
【特許文献２】特表２０１１−５１７８１２号公報
【発明の概要】
【発明が解決しようとする課題】
【０００６】
しかしながら、個人が作成するコンテンツとしては、テキストコンテンツに限定されず、マルチメディアコンテンツも存在する。このようなマルチメディアコンテンツに対して広告サイトへのリンクを張ることは、特許文献１に記載の手法を適用しても困難である。【０００７】
また、個人が作成したマルチメディアコンテンツの多くには、メタデータが予め埋め込まれていないため、特許文献２に記載の手法を適用することはできない。【０００８】
このように、アフィリエイト広告手法により広告を出す広告主の広告サイトへのリンクを、個人が作成したマルチメディアコンテンツに対して張ることが要望されているが、このような要望に充分に応えられていない現状である。【０００９】
本技術は、このような状況に鑑みてなされたものであり、個人が作成したマルチメディアコンテンツに対して広告サイトへのリンクを張ることができるようにしたものである。
【課題を解決するための手段】
【００１０】
本技術の一側面の情報処理装置は、第１のユーザにより第１のポスト先が指定されたコンテンツと所定の広告とを関連付ける関連付部と、前記関連付部により前記所定の広告と関連付けられた前記コンテンツを、アフィリエイトコンテンツとして前記第１のポスト先に送信し、前記第１のポスト先において前記アフィリエイトコンテンツが再生されて、第２のユーザにより第２のポスト先が指定された場合、前記第２のポスト先が指定された前記アフィリエイトコンテンツの複製を、前記第２のポスト先に送信する送信制御部とを備える。【００１１】
前記コンテンツを解析してキーワードを抽出する抽出部をさらに設け、前記関連付部は、前記抽出部により抽出された前記キーワードと、前記所定の広告に関連するキーワードとが一致した場合、前記コンテンツと前記所定の広告とを関連付けることができる。【００１２】
前記送信制御部は、前記アフィリエイトコンテンツの再生の指示が受け付けられた場合、前記所定の広告にリダイレクトすることができる。【００１３】
前記アフィリエイトコンテンツの再生の指示が受け付けられて前記所定の広告が再生された回数を記録し、前記回数に基づいて、広告主に対する請求額を演算する報酬演算部をさらに設けることができる。【００１４】
前記報酬演算部は、前記請求額に基づいて、前記第１のユーザと、前記第２のユーザとのそれぞれの報酬額を演算することができる。【００１５】
本技術の一側面の情報処理方法及びプログラムは、上述した本技術の一側面の情報処理装置に対応する方法及びプログラムである。【００１６】
本技術の一側面の情報処理装置及び方法並びにプログラムにおいては、第１のユーザにより第１のポスト先が指定されたコンテンツと所定の広告とが関連付けられ、前記所定の広告と関連付けられた前記コンテンツが、アフィリエイトコンテンツとして前記第１のポスト先に送信され、前記第１のポスト先において前記アフィリエイトコンテンツが再生されて、第２のユーザにより第２のポスト先が指定された場合、前記第２のポスト先が指定された前記アフィリエイトコンテンツの複製が、前記第２のポスト先に送信される。【００１７】
本技術の一側面の情報処理システムは、第１のユーザからコンテンツの第１のポスト先の指定を受け付ける受付部と、前記第１のポスト先が指定された前記コンテンツをサーバに送信する送信制御部とを有するユーザ端末と、前記ユーザ端末から受信した、前記第１のユーザにより前記第１のポスト先が指定された前記コンテンツと所定の広告とを関連付ける関連付け部と、前記関連付部により前記所定の広告と関連付けられた前記コンテンツを、アフィリエイトコンテンツとして前記第１のポスト先に送信し、前記第１のポスト先において前記アフィリエイトコンテンツが再生されて、第２のユーザにより第２のポスト先が指定された場合、前記第２のポスト先が指定された前記アフィリエイトコンテンツの複製を、前記第２のポスト先に送信する送信制御部とを有するサーバとを備える。【００１８】
本技術の一側面の情報処理システムにおいては、第１のユーザ端末において、第１のユーザからコンテンツの第１のポスト先の指定が受け付けられ、前記第１のポスト先が指定された前記コンテンツが送信され、サーバにおいて、前記第１のポスト先が指定された前記コンテンツが受信され、前記第１のポスト先が指定された前記コンテンツと所定の広告とが関連付けられ、前記所定の広告と関連付けられた前記コンテンツが、アフィリエイトコンテンツとして前記第１のポスト先に送信され、前記第１のポスト先において前記アフィリエイトコンテンツが再生されて、第２のユーザにより第２のポスト先が指定された場合、前記第２のポスト先が指定された前記アフィリエイトコンテンツの複製が、前記第２のポスト先に送信される。
【発明の効果】
【００１９】
本技術によれば、個人が作成したマルチメディアコンテンツに対して広告サイトへのリンクを張ることができる。
【図面の簡単な説明】
【００２０】
【図１】本技術の概略について説明する図である。
【図２】情報処理システム１の構成を示すブロック図である。
【図３】サーバのハードウェアの構成例を示すブロック図である。
【図４】複数のＤＢの詳細な構成を示す図である。
【図５】ユーザ端末のハードウェアの構成例を示すブロック図である。
【図６】サーバのCPUの機能的構成例を示すブロック図である。
【図７】ユーザ端末のCPUの機能的構成例を示すブロック図である。
【図８】１次ユーザ登録処理を実現させるためのサーバのCPUとユーザ端末のCPUの機能的構成例を示すブロック図である。
【図９】１次ユーザ登録処理の流れについて説明するフローチャートである。
【図１０】２次ユーザ登録処理の流れについて説明するフローチャートである。
【図１１】コンテンツの１次登録処理を実現させるためのサーバのCPUとユーザ端末のCPUの機能的構成例を示すブロック図である。
【図１２】コンテンツの１次登録処理の流れについて説明するフローチャートである。
【図１３】再利用処理を実現させるためのサーバのCPUとユーザ端末のCPUの機能的構成例を示すブロック図である。
【図１４】再利用処理の流れについて説明するフローチャートである。
【図１５】広告ページ表示処理を実現させるためのサーバのCPUとユーザ端末のCPUの機能的構成例を示すブロック図である。
【図１６】広告ページ表示処理の流れについて説明するフローチャートである。
【図１７】報酬配分処理を実現させるためのサーバのCPUとユーザ端末のCPUの機能的構成例を示すブロック図である。
【図１８】報酬配分処理の流れについて説明するフローチャートである。
【発明を実施するための形態】
【００２１】
[本技術の概略]
図１は、本技術が適用される情報処理システム１により実現されるモデルの例を示している。
【００２２】
本技術のモデルでは、ユーザにより生成された画像や音声のコンテンツ（以下、適宜UGC(User Generated Content)と称する）の内容が解析され、UGCに対して、その解析された内容に関連する企業（即ち、広告主）の広告サイトへのリンクが張られる。その後、広告サイトへのリンクが張られたUGCは、ネットワーク上にアップロードされると、他のユーザにより閲覧が可能となる。他のユーザは、UGCに張られたリンクを経由して広告サイトを閲覧し、広告サイトで会員登録したり商品を購入する等の一定の行為をすることができる。このように広告サイトの閲覧がなされると、ユーザに対して報酬が支払われる。即ち、UGCは、アフィリエイトメディアとして広告媒体化される。
【００２３】
このような本技術のモデルの参加者は、図１に示されるように、１以上の広告主（図１の例では１人の広告主ＳＰ）、１以上のシステム管理者（図１の例では１人のシステム管理者ＭＡ）、及び１人以上のユーザ（図１の例では３人のユーザＵ１乃至Ｕ３）とされている。なお、以下、ユーザＵ１乃至Ｕ３を個々に区別する必要がない場合、これらをまとめてユーザＵと称する。
【００２４】
広告主ＳＰは、広告主端末（図２等で後述する広告主端末３３）を用いて、自己の広告ページＰＧを管理しており、各種UGCに対する広告ページＰＧのリンク付けの作業をシステム管理者ＭＡに依頼する。
【００２５】
システム管理者ＭＡは、広告主ＳＰの依頼を受けると、サーバ１１を用いて、例えばユーザＵ１により生成されたUGCに対して、広告ページＰＧのリンク付けの作業、即ち、UGCと広告ページＰＧとを関連付ける作業をする。そして、システム管理者ＭＡは、サーバ１１を用いて、広告ページＰＧと関連付けられたUGCを、ユーザＵ１により予め指定されたネットワーク上のメディア（以下、ポスト先メディアと称する）に再生させる。メディアは、例えば、Facebook、mixi等のSNS(social networking service)やBlogである。
【００２６】
このようなシステム管理者ＭＡにより管理されるサーバ１１は、ユーザＤＢ２１、コンテンツＤＢ２２、広告ＤＢ２３、アフィリエイトコンテンツＤＢ２４、及び送客情報ＤＢ２５を有している。
【００２７】
ユーザＤＢ２１には、サーバ１１によりユーザ登録がなされた複数のユーザＵの情報が記憶される。図１の例では、矢印＃１に示すように、ユーザＵ１のユーザ登録が既になされている。ユーザＤＢ２１には、ユーザＵ１のユーザＩＤ、ユーザＵ１により指定されたポスト先メディアの情報が記憶されている。
【００２８】
コンテンツＤＢ２２には、複数のユーザＵのUGCが記憶される。図１の例では、ユーザＵ１は、ユーザ端末（後述のユーザ端末３１−１）を用いて、自身で生成したUGC、より具体的には、カメラＣＡで撮像したハンバーガの画像のコンテンツＣ１を、矢印＃２に示すように、サーバ１１に送信する。サーバ１１は、コンテンツＣ１を受信すると、コンテンツＤＢ２２に記憶させる。
【００２９】
広告ＤＢ２３には、広告主ＳＰの情報が記憶される。図１の例では、広告ＤＢ２３には、広告ページＰＧの広告ＩＤ、広告ページＰＧのURI(Uniform Resource Identifier)、広告主ＳＰのＩＤ、広告ページＰＧに関連するキーワードが記憶されている。
【００３０】
サーバ１１は、コンテンツＤＢ２２にコンテンツＣ１が記憶されると、コンテンツＣ１の内容を解析して、その解析結果に基づいてコンテンツＣ１からキーワードを抽出する。
【００３１】
ここで、コンテンツＣ１は、画像や音声のマルチメディアコンテンツであるため、キーワードとなるテキストそのものが含まれているわけではない。そこで、サーバ１１は、コンテンツＣ１の内容、例えば画像の一部として含まれる文字列を認識することによって得られる内容、画像の背景として写り込んでいるものを認識することによって得られる内容、画像の位置情報を解析することによって得られる内容、音声を解析することによって得られる内容等を解析する。また、サーバ１１は、ユーザＵ１からコンテンツＣ１が送信されるときに、同時にコメントが入力された場合、コメントを解析することによって得られる内容を解析する。このようなコメントを解析することにより、解析の精度が補完される。
【００３２】
なお、このように、コンテンツＣ１を含め使用されるコンテンツは、マルチメディアコンテンツであり音声も含み得るが、以下では説明の簡略上、画像であるとして取り扱う。
【００３３】
サーバ１１は、コンテンツＣ１を解析した内容に関連するテキストを任意の手法で特定し、コンテンツＣ１のキーワードとして抽出する。
【００３４】
そして、サーバ１１は、抽出されたキーワードと、広告ＤＢ２３に記憶されている、広告ページＰＧに関連するキーワードとをマッチングする。
【００３５】
抽出されたキーワードが、広告ページＰＧに関連するキーワードと一致する場合、サーバ１１は、コンテンツＣ１に対して広告ページＰＧのURIを関連付ける。このようにして、広告ページＰＧのURIが関連付けられた（即ち、リンクが張られた）コンテンツＡＣ１は、上述のように、アフィリエイトメディアとして機能するようになるので、以下、アフィリエイトコンテンツＡＣ１と称する。即ち、サーバ１１は、コンテンツＣ１に対して広告ページＰＧのURIを関連付けることで、アフィリエイトコンテンツＡＣ１を作成する。
【００３６】
さらに、サーバ１１は、ユーザＵ１のユーザＩＤをユーザＤＢ２１から読み出して、アフィリエイトコンテンツＡＣ１に対して付与する。
【００３７】
サーバ１１は、ユーザＩＤが付与されたアフィリエイトコンテンツＡＣ１を、ユーザＵ１により指定されたポスト先メディアを管理するサーバ（以下、メディア管理サーバと称する）に送信する。
【００３８】
図１の場合、ユーザＵ１により、SNSとしてのポスト先メディアＭＤ１が予め指定されている。このため、アフィリエイトコンテンツＡＣ１は、矢印＃３に示すように、ポスト先メディアＭＤ１を管理するメディア管理サーバ（後述のメディア管理サーバ３２−１）に送信される。これにより、アフィリエイトコンテンツＡＣ１は、他のユーザ、例えばユーザＵ２と、ポスト先メディアＭＤ１において共有される。即ち、ユーザＵ２は、自己のユーザ端末（後述のユーザ端末３１−２）に表示されるアフィリエイトコンテンツＡＣ１を閲覧することができる。
【００３９】
ここで、ユーザＵ２は、自己のユーザ端末を用いて、ポスト先メディアＭＤ１上のアフィリエイトコンテンツＡＣ１を閲覧している最中に、アフィリエイトコンテンツＡＣ１を選択する操作（クリック等）をしたものとする。この場合、矢印＃４に示すように、アフィリエイトコンテンツＡＣ１に関連付けられたURIに存在する広告ページＰＧへのリダイレクトが行われ、ユーザＵ２のユーザ端末のディスプレイには広告ページＰＧが表示される。このことは広告主ＳＰの広告ページＰＧにユーザＵ２が集客されたことを意味する。このとき、サーバ１１は、アフィリエイトコンテンツＡＣ１が他のユーザＵを広告ページＰＧに送客した回数を送客情報ＤＢ２５に記憶する。
【００４０】
なお、このようにユーザＵ２がアフィリエイトコンテンツＡＣ１を選択する操作（クリック等）をした時点で、ユーザＵ１に対して報酬が支払われてもよいが、ここでは、次の理由から、報酬は定期的に支払われるものとする。即ち、ここでは、ユーザＵ２等他のユーザＵによりアフィリエイトコンテンツＡＣ１が再利用される場合がある。ここで、再利用とは、アフィリエイトコンテンツＡＣ１を作成したユーザＵ１以外のユーザＵ、即ち他のユーザＵが、アフィリエイトコンテンツＡＣ１を、自身が指定するポスト先メディアに表示可能な状態（ここでは、アップロードされて複数のユーザに共有された状態）に置くことをいう。この場合、再利用されたアフィリエイトコンテンツＡＣ１に対しても選択する操作（クリック等）が将来的に発生し得る。従って、アフィリエイトコンテンツＡＣ１を再利用した他のユーザＵも、報酬の支払い対象に追加される。このため、本実施形態では、定期的に、アフィリエイトコンテンツＡＣ１の再利用の状況も加味して、報酬が支払われることになっている。
【００４１】
さらに以下、ユーザＵ２によるアフィリエイトコンテンツＡＣ１の再利用について、詳細に説明する。なお、ユーザＵ１のみならず、ユーザＵ２もユーザ登録されており、ユーザＤＢ２１には、ユーザＵ２のユーザＩＤ、矢印＃５に示すように、ユーザＵ２により指定されたポスト先メディアの情報等が記憶されているものとする。
【００４２】
ユーザＵ２は、自己のユーザ端末を用いて、ポスト先メディアＭＤ１を介してアフィリエイトコンテンツＡＣ１を閲覧している最中に、所定の操作により、アフィリエイトコンテンツＡＣ１を再利用する要求を、サーバ１１に送信する。すると、サーバ１１は、アフィリエイトコンテンツＡＣ１を複製することで、アフィリエイトコンテンツＡＣ２を作成する。さらに、サーバ１１は、ユーザＵ２のユーザＩＤをユーザＤＢ２１から読み出して、アフィリエイトコンテンツＡＣ２に対して付与する。サーバ１１は、ユーザＩＤが付与されたアフィリエイトコンテンツＡＣ２を、ユーザＵ２により指定されたポスト先メディアを管理するメディア管理サーバに送信する。
【００４３】
図１の場合、ユーザＵ２により、Blogとしてのポスト先メディアＭＤ２が予め指定されている。このため、アフィリエイトコンテンツＡＣ２は、矢印＃６に示すように、ポスト先メディアＭＤ２を管理するメディア管理サーバ（後述のメディア管理サーバ３２−２）に送信される。これにより、アフィリエイトコンテンツＡＣ２は、さらに他のユーザＵ、例えばユーザＵ３と、ポスト先メディアＭＤ２において共有される。即ち、ユーザＵ３は、自己のユーザ端末（後述のユーザ端末３１−３）に表示されるアフィリエイトコンテンツＡＣ２を閲覧することができる。
【００４４】
ここで、ユーザＵ３は、自己のユーザ端末を用いて、ポスト先メディアＭＤ２上のアフィリエイトコンテンツＡＣ２を閲覧している最中に、アフィリエイトコンテンツＡＣ２を選択する操作（クリック等）をしたものとする。この場合、矢印＃７に示すように、アフィリエイトコンテンツＡＣ２に関連付けられたURIに存在する広告ページＰＧへのリダイレクトが行われ、ユーザＵ２のユーザ端末のディスプレイには広告ページＰＧが表示される。このことは広告主ＳＰの広告ページＰＧにユーザＵ３が集客されたことを意味する。このとき、サーバ１１は、アフィリエイトコンテンツＡＣ２が他のユーザＵを広告ページＰＧに送客した回数を送客情報ＤＢ２５に記憶する。
【００４５】
ユーザＵ３も同様にアフィリエイトコンテンツＡＣ２を再利用することができるし、図１には図示せぬ多数の他のユーザＵｋ（ｋは、２以上の整数値）も、アフィリエイトコンテンツＡＣｋを再利用することができる。つまり、広告ページＰＧのURIが関連付けられたコンテンツＣ１のオリジナル及び複製、即ち、アフィリエイトコンテンツＡＣ１乃至ＡＣＮ（Ｎは、１以上の任意の整数値）は、その個数（＝Ｎ）を増やしながらネットワーク上の各種ポスト先メディア（図１のポスト先メディアＭＤ１，ＭＤ２を含む）に拡散していく。その際に、多数のユーザＵにより閲覧されることになるので、広告ページＰＧへの多数の集客が期待できるようになる。
【００４６】
ここで、コンテンツＣ１を作成したユーザＵ１は、原則として、コンテンツＣ１に基づいて作成されたオリジナルのアフィリエイトコンテンツＡＣ１を介して他のユーザＵが広告ページＰＧを閲覧したことを条件に、その閲覧回数に応じた報酬を獲得することができる。
【００４７】
また、ユーザＵ２は、原則として、アフィリエイトコンテンツＡＣ１の複製であるアフィリエイトコンテンツＡＣ２を介して他のユーザＵが広告ページＰＧを閲覧したことを条件に、その閲覧回数に応じた報酬を獲得することができる。
【００４８】
報酬の配分の手法については、特に限定されない。図１の例では、アフィリエイトコンテンツＡＣ１乃至ＡＣＮの各々を利用又は再利用したユーザＵ１乃至ユーザＵＮの各々に対して、広告ページＰＧへの送客に寄与した度合いが予め割り当てられている。そして、この寄与度に基づいて全体の報酬額が按分されて、各ユーザＵに分配される。この場合の寄与度の設定手法は、特に限定されないが、図１の例では、複製のアフィリエイトコンテンツＡＣ２乃至ＡＣＮを単に再利用したユーザＵ２乃至ＵＮよりも、オリジナルのアフィリエイトコンテンツＡＣ１の元になるコンテンツＣ１を生成したユーザＵ１の方が、価値ある存在として寄与度が高くなるように設定する、といった設定手法が適用されている。
【００４９】
具体的には、システム管理者ＭＡに対しても、一定の貢献があるものとして３０％の寄与度が認められることを前提に、ユーザＵ１に対して５０％の寄与度が認められる。そして、他のユーザＵ２乃至ＵＮの各々に対して残りの２０％が、所定の割合で割り当てられた寄与度が認められる。図１の例では、再利用したユーザＵ２に対して１０％の寄与度が割り当てられ、残り１０％が、再利用した図示せぬ他のユーザＵに対して割り当てられる。
【００５０】
この場合、システム管理者ＭＡは、サーバ１１を用いて、送客情報ＤＢ２５に記憶された情報に基づいた広告ページＰＧへの送客回数、即ち、広告ページＰＧの閲覧回数を集計する。そして、システム管理者ＭＡは、広告ページＰＧの閲覧回数に応じた請求額を、広告主ＳＰに請求する。
【００５１】
広告主ＳＰは、矢印＃１１に示すように、システム管理者ＭＡに、請求額に応じた報酬を支払う。
【００５２】
すると、システム管理者ＭＡは、サーバ１１を用いて、広告主ＳＰから支払われた全体の報酬からシステム管理者ＭＡ分の報酬を差し引いた残りの報酬を、複数のユーザＵのそれぞれに、実績に応じて分配する。
【００５３】
具体的には、サーバ１１は、広告ページＰＧの１度の閲覧に対して広告主ＳＰから支払われる報酬のうちの３０％分を、システム管理者ＭＡ分の報酬として差し引く。
【００５４】
そして、サーバ１１は、残りの報酬を、送客情報ＤＢ２５に記憶されている情報に基づいて、複数のユーザＵに分配する。即ち、全体の５０％分の報酬が矢印＃１２に示すように、ユーザＵ１に支払われ、全体の１０％分の報酬が矢印＃１３に示すように、ユーザＵ２に支払われる。また、残りの１０％分が図示せぬ他のユーザＵＮの各々に支払われる。
【００５５】
このように、情報処理システム１によれば、マルチメディアコンテンツ等のUGCに対して事後的に広告ページＰＧのURIを関連付けることができる。また、UGCを多次的に共有したユーザＵに対しても、広告主ＳＰからの報酬を分配することができる。
【００５６】
なお、ユーザＵ１のように、広告ページＰＧのURIが関連付けられるコンテンツＣ１を生成してサーバ１１に送信するユーザＵ、即ちオリジナルのアフィリエイトコンテンツＡＣ１のいわば創作者であるユーザＵ１を、以下では、１次ユーザと称する。一方、ユーザＵ２のように、オリジナルのアフィリエイトコンテンツＡＣ１の複製であるアフィリエイトコンテンツＡＣ１を再利用するユーザＵを、以下では、２次ユーザと称する。また、アフィリエイトコンテンツＡＣｋを閲覧するユーザＵを、以下では、閲覧者ユーザと称する。
【００５７】
[情報処理システムの構成例]
図２は、情報処理システム１の構成を示すブロック図である。
【００５８】
情報処理システム１は、サーバ１１、ユーザ端末３１−１乃至３１−Ｎ（Ｎは、１以上の任意の整数値）、メディア管理サーバ３２−１乃至３２−Ｍ（Ｍは、１以上の任意の整数値）、及び広告主端末３３が、ネットワーク３４を介して相互に接続されて構成されている。なお、以下、ユーザ端末３１−１乃至３１−Ｎを個々に区別する必要がない場合、これらをまとめてユーザ端末３１と称する。また、メディア管理サーバ３２−１乃至３２−Ｍを個々に区別する必要がない場合、これらをまとめてメディア管理サーバ３２と称する。
【００５９】
[サーバのハードウェア構成例]
図３は、サーバ１１のハードウェアの構成例を示すブロック図である。
【００６０】
サーバ１１は、CPU（Central Processing Unit）５１、ROM（Read Only Memory）５２、RAM（Random Access Memory）５３、バス５４、入出力インタフェース５５、入力部５６、出力部５７、記憶部５８、通信部５９、及びドライブ６０を備えている。
【００６１】
CPU５１は、ROM５２に記録されているプログラムに従って各種の処理を実行する。または、CPU５１は、記憶部５８からRAM５３にロードされたプログラムに従って各種の処理を実行する。RAM５３にはまた、CPU５１が各種の処理を実行する上において必要なデータなども適宜記憶される。
【００６２】
CPU５１、ROM５２、及びRAM５３は、バス５４を介して相互に接続されている。このバス５４にはまた、入出力インタフェース５５も接続されている。入出力インタフェース５５には、入力部５６、出力部５７、記憶部５８、及び通信部５９が接続されている。
【００６３】
入力部５６は、キーボード、マウス、マイクロフォンなどよりなる。出力部５７は、ディスプレイ、スピーカなどにより構成され、各種画像を出力する。
【００６４】
記憶部５８は、例えばハードディスクや不揮発性のメモリ等から構成され、各種情報、複数のＤＢを記憶する。これらのＤＢの詳細については、図４を参照して後述する。
【００６５】
通信部５９は、インターネットを含むネットワーク３４を介して、ユーザ端末３１、メディア管理サーバ３２、及び広告主端末３３との間で行う通信を制御する。
【００６６】
入出力インタフェース５５にはまた、必要に応じてドライブ６０が接続され、磁気ディスク、光ディスク、光磁気ディスク、或いは半導体メモリなどよりなるリムーバブルメディア６１が適宜装着される。そして、それらから読み出されたコンピュータプログラムが、必要に応じて記憶部５８にインストールされる。
【００６７】
[ＤＢの詳細]
図４は、記憶部５８内の複数のＤＢの詳細な構成を示す図である。
【００６８】
記憶部５８には、ユーザＤＢ２１、コンテンツＤＢ２２、広告ＤＢ２３、アフィリエイトコンテンツＤＢ２４、及び送客情報ＤＢ２５が記憶されている。
【００６９】
ユーザＤＢ２１には、ユーザＩＤ、及びポスト先メディア情報１乃至Ｍ（Ｍは、１以上の任意の整数値）が格納される。ユーザＩＤは、ユーザを識別するための情報である。ポスト先メディア情報１乃至Ｍは、ユーザＩＤにより識別されるユーザに指定されたポスト先メディアのそれぞれを示す情報である。
【００７０】
コンテンツＤＢ２２には、コンテンツＩＤ、及びコンテンツデータが格納される。コンテンツＩＤは、コンテンツを識別するための情報である。コンテンツデータは、コンテンツＩＤにより識別されるコンテンツのデータである。
【００７１】
広告ＤＢ２３には、広告ＩＤ、URI、広告主ＩＤ、及びキーワードが格納される。広告ＩＤは、広告ページを識別するための情報である。URIは、広告ＩＤにより識別される広告ページのネットワーク上の場所を指し示す。広告主ＩＤは、広告ＩＤにより識別される広告ページの広告主を識別するための情報である。キーワードは、広告ＩＤにより識別される広告ページに関連する語句である。
【００７２】
アフィリエイトコンテンツＤＢ２４には、アフィリエイトコンテンツＩＤ、１次ユーザＩＤ乃至Ｎ（Ｎは、２以上の任意の整数値）次ユーザＩＤ、コンテンツＩＤ、及び広告ＩＤが格納される。アフィリエイトコンテンツＩＤは、アフィリエイトコンテンツを識別するための情報である。１次ユーザＩＤ乃至Ｎ次ユーザＩＤのうちの１次ユーザＩＤは、アフィリエイトコンテンツＩＤにより識別されるアフィリエイトコンテンツの元になるコンテンツを生成した１次ユーザを識別するための情報である。１次ユーザ乃至Ｎ次ユーザのうちの２次ユーザＩＤ乃至Ｎ次ユーザＩＤは、アフィリエイトコンテンツＩＤにより識別されるアフィリエイトコンテンツの再利用をしたユーザを識別するための情報である。アフィリエイトコンテンツＤＢには、登録できるユーザＩＤの数の上限が予め設定されている。
【００７３】
送客情報ＤＢ２５には、送客時刻情報、及びアフィリエイトコンテンツＩＤが格納される。送客時刻情報は、アフィリエイトコンテンツＩＤにより識別されるアフィリエイトコンテンツが、ユーザを広告ページに送客した時刻の情報である。
【００７４】
これらのユーザＤＢ２１、コンテンツＤＢ２２、広告ＤＢ２３、アフィリエイトコンテンツＤＢ２４、及び送客情報ＤＢ２５は、所定のＩＤにより関連付けられている。この関連付けは、図４中、これらのユーザＤＢ２１、コンテンツＤＢ２２、広告ＤＢ２３、アフィリエイトコンテンツＤＢ２４、及び送客情報ＤＢ２５のうち、一のＤＢから他のＤＢに引かれた実線により示されている。
【００７５】
具体的には、ユーザがｋ次（ｋは１乃至Ｎのうちの何れかの整数値）ユーザとして登録された場合には、ユーザＤＢ２１における登録されたユーザのユーザＩＤと、アフィリエイトコンテンツＤＢ２４のｋ次ユーザＩＤとが関連付けられる。
【００７６】
この場合、ユーザによりアップロード又は再利用されたコンテンツはアフィリエイトコンテンツになるので、アップロード又は再利用されたコンテンツのコンテンツＩＤは、コンテンツＤＢ２２とアフィリエイトコンテンツＤＢ２４との間で関連付けられる。
【００７７】
さらに、アフィリエイトコンテンツには広告ページが関連付けられるので、関連付けられる広告ページの広告ＩＤは、広告ＤＢ２３とアフィリエイトコンテンツＤＢ２４との間で関連付けられる。
【００７８】
また、アフィリエイトコンテンツから広告ページに送客された場合には送客時刻（回数）が送客情報ＤＢ２５に記録されることになるので、送客したアフィリエイトコンテンツのアフィリエイトコンテンツＩＤは、アフィリエイトコンテンツＤＢ２４と送客情報ＤＢ２５との間で関連付けられる。
【００７９】
[ユーザ端末のハードウェア構成例]
図５は、ユーザ端末３１のハードウェアの構成例を示すブロック図である。
【００８０】
ユーザ端末３１は、CPU８１、ROM８２、RAM８３、バス８４、入出力インタフェース８５、撮像部８６、入力部８７、出力部８８、記憶部８９、通信部９０、ドライブ９１、及びリムーバブルメィア９２を備えている。
【００８１】
ユーザ端末３１は、図３のサーバ１１と基本的に同様の機能と構成を有している。重複する説明については省略する。
【００８２】
撮像部８６は、被写体を撮像し、画像のデータを出力する。撮像部８６は、例えばCCD（Charge Coupled Device）やCMOS（Complementary Metal Oxide Semiconductor）等の撮像素子を有し、被写体を撮像して撮像画像のデータを出力する。
【００８３】
以上、サーバ１１及びユーザ端末３１の各々のハードウェア構成について説明した。以下、サーバ１１及びユーザ端末３１の各々の機能的構成について説明する。
【００８４】
[サーバの機能的構成例]
図６は、図３に示されるサーバ１１のCPU５１の機能的構成例を示すブロック図である。
【００８５】
CPU５１は、受信制御部１２０、認証部１２１、送信制御部１２２、抽出部１２３、照会部１２４、関連付部１２５、アフィリエイトコンテンツ作成部１２６、ユーザＩＤ管理部１２７、及び報酬演算部１２８を有している。
【００８６】
なお、受信制御部１２０乃至報酬演算部１２８の機能の詳細については、図８乃至図１８を参照して後述する。
【００８７】
[ユーザ端末の機能的構成例]
図７は、図５に示されるユーザ端末３１のCPU８１の機能的構成例を示すブロック図である。
【００８８】
CPU８１は、コンテンツ取得部１５１、受付部１５２、送信制御部１５３、受信制御部１５４、出力制御部１５５、及び解析部１５６を有している。
【００８９】
なお、コンテンツ取得部１５１乃至解析部１５６の機能の詳細については、図８乃至図１８を参照して後述する。
【００９０】
[１次ユーザ登録処理]
以下、図８と図９を参照して、情報処理システム１が１次ユーザをユーザ登録する一連の処理である１次ユーザ登録処理について説明する。
【００９１】
[１次ユーザ登録処理が実行される場合のサーバとユーザ端末の機能的構成例]
図８は、図３に示されるサーバ１１のCPU５１と、図５に示されるユーザ端末３１のCPU８１との各々が有する機能のうち、１次ユーザ登録処理を実現させるための機能的構成例を示すブロック図である。
【００９２】
１次ユーザ登録処理が実行される場合、図８に示されるように、１次ユーザ端末３１−１のCPU８１においては、受付部１５２、及び送信制御部１５３が機能する。
【００９３】
サーバ１１のCPU５１において、１次ユーザ登録処理が実行される場合には図８に示されるように、受信制御部１２０、認証部１２１、及び送信制御部１２２が機能する。
【００９４】
次に、図９を参照して、１次ユーザ登録処理の流れを説明するが、その際に、図８に示される各機能ブロックの詳細について併せて説明する。
【００９５】
[１次ユーザ登録処理の流れ]
図９は、１次ユーザ登録処理の流れについて説明するフローチャートである。図９には左方から順に、１次ユーザ端末３１−１側の１次ユーザ登録処理の流れについて説明するフローチャート、サーバ１１側の１次ユーザ登録処理の流れについて説明するフローチャート、及びメディア管理サーバ３２−１側の１次ユーザ登録処理の流れについて説明するフローチャートのそれぞれが示されている。なお、図９における３つのフローチャートを結ぶ左右方向の矢印は、情報の流れを示している。
【００９６】
ステップＳ１において、１次ユーザ端末３１−１の受付部１５２は、１次ユーザの入力部８７に対する操作により入力されたユーザ情報を受け付ける。ユーザ情報は、情報処理システム１にログインするための情報、具体的には、ユーザＩＤ及びパスワードを含む。
【００９７】
ステップＳ２において、送信制御部１５３は、ユーザ情報をサーバ１１へ送信する。なお、サーバ１１との間での情報の送受信は、送信制御部１５３により通信部９０が制御されることによって、または受信制御部１５４により通信部９０が制御されることによって行われる。
【００９８】
ステップＳ２１において、サーバ１１の受信制御部１２０は、１次ユーザ端末３１−１から送信されてきたユーザ情報を受信する。なお、１次ユーザ端末３１−１との間での情報の送受信は、受信制御部１２０により通信部５９が制御されることによって、または送信制御部１２２により通信部５９が制御されることによって行われる。
【００９９】
ステップＳ２２において、認証部１２１は、受信されたユーザ情報をユーザＤＢ２１に格納させることで、１次ユーザをユーザ登録する。なお、以下では、登録された１次ユーザのＩＤを、１次ユーザＩＤと称する。
【０１００】
これにより、サーバ１１において１次ユーザ端末３１−１のログイン処理が終了し、その旨の通知が１次ユーザ端末３１−１に送信される。
【０１０１】
ステップＳ３において、１次ユーザ端末３１−１の受付部１５２は、１次ユーザの入力部８７に対する操作により入力されたポスト先メディアの指定を受け付ける。
【０１０２】
ステップＳ４において、送信制御部１５３は、受付部１５２により指定が受け付けられたポスト先メディアの情報を、サーバ１１へ送信する。
【０１０３】
ステップＳ２３において、サーバ１１の受信制御部１２０は、１次ユーザ端末３１−１から送信されてきたポスト先メディアの情報を受信する。
【０１０４】
ステップＳ２４において、受信制御部１２０は、ポスト先メディアの情報を、ステップＳ２２の処理で格納されたユーザ情報と関連付けてユーザＤＢ２１に格納させる。
【０１０５】
ステップＳ５において、１次ユーザ端末３１−１の受付部１５２は、１次ユーザの入力部８７に対する操作により入力された、ポスト先メディアの認証情報を受け付ける。
【０１０６】
ステップＳ６において、送信制御部１５３は、ポスト先メディアの認証情報をサーバ１１へ送信する。
【０１０７】
これにより、１次ユーザ端末３１−１側の１次ユーザ登録処理は終了する。
【０１０８】
ステップＳ２５において、サーバ１１の受信制御部１２０は、１次ユーザ端末３１−１から送信されてきたポスト先メディアの認証情報を受信する。
【０１０９】
ステップＳ２６において、送信制御部１２２は、ポスト先メディアの認証情報をメディア管理サーバ３２−１に送信する。
【０１１０】
ステップＳ４１において、メディア管理サーバ３２−１は、サーバ１１から送信されてきたポスト先メディアの認証情報を受信する。
【０１１１】
ステップＳ４２において、メディア管理サーバ３２−１は、認証情報に基づいて、認証処理を実行する。
【０１１２】
ステップＳ４３において、メディア管理サーバ３２−１は、認証に成功したか否かを判定する。
【０１１３】
認証に成功しないとステップＳ４３において判定された場合、処理はステップＳ４１に戻され、それ以降の処理が繰り返される。即ち、認証に成功するまでの間、ステップＳ４１乃至Ｓ４３のループ処理が繰り返される。なお、認証に成功しない場合、メディア管理サーバ３２−１は、認証に成功しない旨の通知をサーバ１１に送信する。すると、サーバ１１は、認証に成功しない旨の通知をユーザ端末３１−１に送信する。ユーザ端末３１−１は、サーバ１１から送信されてきた通知を受信すると、ステップＳ５の処理に戻る。即ち、認証に成功するまでの間、ユーザ端末３１−１においてはステップＳ５，Ｓ６の処理が繰り返され、サーバ１１においては、ステップＳ２５，２６の処理が繰り返される。
【０１１４】
これに対して、認証に成功したとステップＳ４３において判定された場合、処理はステップＳ４４に進む。例えば、サーバ１１から送信されてきたパスワード等の認証情報と、メディア管理サーバ３２−１に予め登録されている認証情報が一致した場合に認証が成功する。
【０１１５】
ステップＳ４４において、メディア管理サーバ３２−１は、認証に成功した旨の通知をサーバ１１に送信する。
【０１１６】
これにより、メディア管理サーバ３２−１側の１次ユーザ登録処理は終了する。
【０１１７】
サーバ１１においては、受信制御部１２０が、メディア管理サーバ３２−１から送信されてきた通知を受信すると、処理はステップＳ２７に進む。
【０１１８】
ステップＳ２７において、サーバ１１の受信制御部１２０は、ポスト先メディアの認証情報を、ステップＳ２２の処理で格納されたユーザ情報及びステップＳ２４の処理で格納されたポスト先メディアの情報と関連付けてユーザＤＢ２１に格納させる。
【０１１９】
これにより、サーバ１１側の１次ユーザ登録処理は終了する。
【０１２０】
このように、１次ユーザ登録処理において、１次ユーザは、ポスト先メディアを予め指定する。これにより、１次ユーザは、コンテンツを投稿する場合に、コンテンツを表示させるメディアを指定する手間を省くことができる。
【０１２１】
[２次ユーザ登録処理]
次に、情報処理システム１が２次ユーザをユーザ登録する一連の処理である２次ユーザ登録処理について説明する。
【０１２２】
なお、サーバ１１と、ユーザ端末３１が有する機能のうち、２次ユーザ登録処理を実現させるための機能的構成は、図８に示される１次ユーザ登録処理の実行機能を実現させるための機能的構成と同様である。したがって、その説明は繰り返しになるので省略する。
【０１２３】
図１０は、２次ユーザ登録処理の流れについて説明するフローチャートである。図１０には左方から順に、２次ユーザ端末３１−２側の２次ユーザ登録処理の流れについて説明するフローチャート、サーバ１１側の２次ユーザ登録処理の流れについて説明するフローチャート、及びメディア管理サーバ３２−２側の２次ユーザ登録処理の流れについて説明するフローチャートのそれぞれが示されている。なお、図１０における３つのフローチャートを結ぶ左右方向の矢印は、情報の流れを示している。
【０１２４】
なお、２次ユーザ端末３１−２側、サーバ１１側、及びメディア管理サーバ３２−２側の各々の２次ユーザ登録処理は、図９の、１次ユーザ端末３１−１側、サーバ１１側、及びメディア管理サーバ３２−１側の各々の１次ユーザ登録処理と同様である。具体的には、図９のステップＳ１乃至Ｓ６の処理が、図１０のステップＳ６１乃至Ｓ６６の処理に対応する。また、図９のステップＳ２１乃至Ｓ２７の処理が、図１０のステップＳ８１乃至８７の処理に対応する。また、図９のステップＳ４１乃至Ｓ４４の処理が、図１０のステップＳ１０１乃至１０４の処理に対応する。図１０の２次ユーザ登録処理の結果、２次ユーザの情報が、サーバ１１のユーザＤＢ２１に記憶される。なお、図１０において、ステップＳ８２の処理で登録された２次ユーザのＩＤを、２次ユーザＩＤと称する。
【０１２５】
図１０に示されるように、２次ユーザ登録処理において、アフィリエイトコンテンツを再利用する２次ユーザも、ポスト先メディアを予め指定する。これにより、２次ユーザも、コンテンツを投稿する場合に、コンテンツを表示させるメディアを指定する手間を省くことができる。
【０１２６】
[コンテンツの１次登録処理]
次に、図１１と図１２を参照して、１次ユーザが、自身が生成したコンテンツをサーバ１１に登録（以下、１次登録と称する）する場合に、情報処理システム１がコンテンツを登録する一連の処理であるコンテンツの１次登録処理について説明する。
【０１２７】
[コンテンツの１次登録処理が実行される場合のサーバとユーザ端末の機能的構成例]
図１１は、図３に示されるサーバ１１のCPU５１と、図５に示されるユーザ端末３１のCPU８１との各々が有する機能のうち、コンテンツの１次登録処理を実現させるための機能的構成例を示すプロック図である。
【０１２８】
コンテンツの１次登録処理が実行される場合、図１１に示されるように、１次ユーザの１次ユーザ端末３１−１のCPU８１においては、コンテンツ取得部１５１、受付部１５２、送信制御部１５３、受信制御部１５４、及び出力制御部１５５が機能する。
【０１２９】
サーバ１１のCPU５１において、１次ユーザ登録処理が実行される場合には図１１に示されるように、受信制御部１２０、送信制御部１２２、抽出部１２３、照会部１２４、関連付部１２５、アフィリエイトコンテンツ作成部１２６、及びユーザＩＤ管理部１２７が機能する。
【０１３０】
なお、図示の簡略化のため、各ＤＢの間の関連付けを示す矢印は省略しているが、実際には図４に示されるような関連付けがなされている。
【０１３１】
次に、図１２を参照して、コンテンツの１次登録処理の流れを説明するが、その際に、図１１に示される各機能ブロックの詳細について併せて説明する。
【０１３２】
[コンテンツの１次登録処理の流れ]
図１２は、コンテンツの１次登録処理の流れについて説明するフローチャートである。図１２には左方から順に、１次ユーザ端末３１−１側のコンテンツの１次登録処理の流れについて説明するフローチャート、サーバ１１側のコンテンツの１次登録処理の流れについて説明するフローチャート、及びメディア管理サーバ３２−１側のコンテンツの１次登録処理の流れについて説明するフローチャートのそれぞれが示されている。なお、図１２における３つのフローチャートを結ぶ左右方向の矢印は、情報の流れを示している。
【０１３３】
ステップＳ１２１において、１次ユーザ端末３１−１の受付部１５２は、１次ユーザの入力部８７に対する操作により入力されたコンテンツのアップロードの指示を受け付ける。
【０１３４】
すると、コンテンツ取得部１５１は、記憶部８９に格納されているコンテンツデータを取得する。なお、記憶部８９に格納されているコンテンツデータは、１次ユーザにより生成されたUGCである。
【０１３５】
ステップＳ１２２において、送信制御部１５３は、コンテンツ取得部１５１により取得されたコンテンツをサーバ１１へ送信する。
【０１３６】
ステップＳ１４１において、サーバ１１の受信制御部１２０は、１次ユーザ端末３１−１から送信されてきたコンテンツを受信する。
【０１３７】
ステップＳ１４２において、受信制御部１２０は、受信したコンテンツにコンテンツＩＤを付与してコンテンツＤＢ２２に格納させる。
【０１３８】
ステップＳ１４３において、抽出部１２３は、コンテンツＤＢ２２に格納されたコンテンツの内容を解析してキーワードを抽出する。
【０１３９】
ステップＳ１４４において、抽出部１２３は、キーワードが抽出されたか否かを判定する。
【０１４０】
キーワードが抽出されたとステップＳ１４４において判定された場合、処理はステップＳ１４５に進む。
【０１４１】
ステップＳ１４５において、照会部１２４は、キーワードの照会をする。即ち、照会部１２４は、抽出されたキーワードと、広告ＤＢ２３に格納されている広告ページに関連するキーワードとをマッチングする。
【０１４２】
ステップＳ１４６において、照会部１２４は、一致するキーワードが存在したか否かを判定する。
【０１４３】
一致するキーワードが存在したとステップＳ１４６において判定された場合、即ち、抽出されたキーワードが、広告ページに関連するキーワードと一致するというマッチング結果の場合、処理はステップＳ１４７に進む。
【０１４４】
ステップＳ１４７において、関連付部１２５は、広告ページのURIとコンテンツを関連付ける。
【０１４５】
ステップＳ１４８においては、アフィリエイトコンテンツ作成部１２６は、ステップＳ１４７において広告ページのURIと関連付けられたコンテンツを、アフィリエイトコンテンツとして作成する。この場合、作成されるアフィリエイトコンテンツは、広告ページの広告ＩＤと関連付けられる。
【０１４６】
これに対して、ステップＳ１４４においてキーワードが抽出されないと判定された場合、及びステップＳ１４６において一致するキーワードが存在しないと判定された場合には、処理はステップＳ１４８に進む。ステップＳ１４４若しくはステップＳ１４６においてＮＯであると判定された後に処理がステップＳ１４８に進んだ場合には、コンテンツに関連付けるべき広告ページのURIが存在しないことになる。このような場合のステップＳ１４８においては、アフィリエイトコンテンツ作成部１２６は、広告ページのURIと何ら関連付けられていないコンテンツを、アフィリエイトコンテンツとして作成する。この場合、作成されるアフィリエイトコンテンツは、広告ページの広告ＩＤと関連付けられない。
【０１４７】
このように、広告ページのURIと関連付けられないコンテンツが、アフィリエイトコンテンツとして作成される理由は、次のとおりである。即ち、アフィリエイトコンテンツには少なくとも１乃至Ｎ次ユーザの各ユーザＩＤが関連付けられるため、アフィリエイトコンテンツの伝搬や複製の度合い、即ち何人のユーザに共有されて再利用されたのか等確認することが可能である。このような確認を容易に行えるようにするために、広告ページのURIと関連付けられないコンテンツが、アフィリエイトコンテンツとして作成される。
【０１４８】
ステップＳ１４９において、ユーザＩＤ管理部１２７は、作成されたアフィリエイトコンテンツに、ユーザＤＢ２１に格納された１次ユーザＩＤを付与する。
【０１４９】
ステップＳ１５０において、アフィリエイトコンテンツ作成部１２６は、１次ユーザＩＤが付与されたアフィリエイトコンテンツにアフィリエイトコンテンツＩＤを付与して、アフィリエイトコンテンツＤＢ２４に格納する。これにより、アフィリエイトコンテンツＤＢ２４には、アフィリエイトコンテンツＩＤ、１次ユーザＩＤ、コンテンツＩＤ、及び広告ＩＤが格納される。
【０１５０】
ステップＳ１５１において、送信制御部１２２は、アフィリエイトコンテンツを、予め１次ユーザにより指定されたポスト先メディアを管理するメディア管理サーバ３２−１に送信する。
【０１５１】
これにより、サーバ１１側のコンテンツの１次登録処理は終了する。
【０１５２】
ステップＳ１７１において、メディア管理サーバ３２−１は、サーバ１１から送信されてきたアフィリエイトコンテンツを受信する。
【０１５３】
ステップＳ１７２において、メディア管理サーバ３２−１は、１次ユーザ端末３１−１に対して各種データや各種制御情報を送信することで、１次ユーザ端末３１−１におけるアフィリエイトコンテンツの表示を制御する。
【０１５４】
これにより、メディア管理サーバ３２−１側のコンテンツの１次登録処理は終了する。
【０１５５】
１次ユーザ端末３１−１においては、受信制御部１５４が、メディア管理サーバ３２−１から送信されてきた各種データや各種制御情報を受信すると、処理はステップＳ１２３に進む。
【０１５６】
ステップＳ１２３において、出力制御部１５５は、メディア管理サーバ３２−１からの各種データや各種制御情報に基づいて、アフィリエイトコンテンツを出力部８８に表示させる。
【０１５７】
これにより、１次ユーザ端末３１−１側のコンテンツの１次登録処理は終了する。
【０１５８】
なお、図１２のステップＳ１４３乃至Ｓ１４７の処理は、コンテンツの１次登録処理とは独立して実行される場合がある。例えば、コンテンツの１次登録処理後において、コンテンツに関連付ける広告が見直される場合には、図１２のステップＳ１４３乃至Ｓ１４７の処理が独立して実行されて、新たな広告ページのURIがコンテンツと関連付けられる。
【０１５９】
[再利用処理]
次に、図１３と図１４を参照して、２次ユーザが、アフィリエイトコンテンツを再利用する場合に、情報処理システム１が実行する一連の処理である再利用処理について説明する。
【０１６０】
[再利用処理が実行される場合のサーバとユーザ端末の機能的構成例]
図１３は、図３に示されるサーバ１１のCPU５１と、図５に示されるユーザ端末３１のCPU８１との各々が有する機能のうち、再利用処理を実現させるための機能的構成例を示すブロック図である。
【０１６１】
再利用処理が実行される場合、図１３に示されるように、２次ユーザの２次ユーザ端末３１−２のCPU８１においては、受付部１５２、送信制御部１５３、受信制御部１５４、及び出力制御部１５５が機能する。
【０１６２】
サーバ１１のCPU５１において、再利用処理が実行される場合には図１３に示されるように、受信制御部１２０、送信制御部１２２、アフィリエイトコンテンツ作成部１２６、及びユーザＩＤ管理部１２７が機能する。
【０１６３】
なお、図示の簡略化のため、各ＤＢの間の関連付けを示す矢印は省略しているが、実際には図４に示されるような関連付けがなされている。
【０１６４】
次に、図１４を参照して、再利用処理の流れを説明するが、その際に、図１３に示される各機能ブロックの詳細について合わせて説明する。
【０１６５】
[再利用処理の流れ]
図１４は、再利用処理の流れについて説明するフローチャートである。図１４には左方から順に、２次ユーザ端末３１−２側の再利用処理の流れについて説明するフローチャート、サーバ１１側の再利用処理の流れについて説明するフローチャート、及びメディア管理サーバ３２−２側の再利用処理の流れについて説明するフローチャートのそれぞれが示されている。なお、図１４における３つのフローチャートを結ぶ左右方向の矢印は、情報の流れを示している。
【０１６６】
ステップＳ１９１において、２次ユーザ端末３１−２の受付部１５２は、２次ユーザの入力部８７に対する操作により入力されたアフィリエイトコンテンツの再利用の要求を受け付ける。即ち、２次ユーザは、２次ユーザ端末３１−２を用いて、１次ユーザの指定したポスト先メディアを介してアフィリエイトコンテンツが表示されている途中又は後に、入力部８７に対して所定の操作により、アフィリエイトコンテンツを再利用する要求を入力する。
【０１６７】
ステップＳ１９２において、送信制御部１５３は、アフィリエイトコンテンツの再利用の要求をサーバ１１へ送信する。
【０１６８】
ステップＳ２１１において、サーバ１１の受信制御部１２０は、２次ユーザ端末３１−２から送信されてきた再利用の要求を受信する。
【０１６９】
ステップＳ２１２において、ユーザＩＤ管理部１２７は、ユーザＤＢ２１に２次ユーザ端末３１−２の２次ユーザのユーザＩＤ（即ち、２次ユーザＩＤ）が存在するか否かを判定する。即ち、ユーザＤＢ２１に、２次ユーザＩＤが存在し、ポスト先メディアが指定されているか否かが判定される。
【０１７０】
ユーザＤＢ２１に２次ユーザＩＤが存在しないとステップＳ２１２において判定された場合、処理はステップＳ２１６に進む。
【０１７１】
ステップＳ２１６において、サーバ１１は、図１０の２次ユーザ登録処理を実行する。なお、図１４では、図示の簡略化のため、サーバ１１についてのみ２次ユーザ登録処理が記載されているが、図１０から明らかなように、２次ユーザ登録処理は、サーバ１１のみならず、２次ユーザ端末３１−２及びメディア管理サーバ３２−２と協働して実行される。
【０１７２】
これに対して、ユーザＤＢ２１に２次ユーザＩＤが存在するとステップＳ２１２において判定された場合、処理はステップＳ２１３に進む。なお、ユーザＤＢ２１に２次ユーザＩＤが存在する場合、再利用の要求がされたアフィリエイトコンテンツのポスト先メディアが指定されたことになる。
【０１７３】
ステップＳ２１３において、アフィリエイトコンテンツ作成部１２６は、アフィリエイトコンテンツＤＢ２４に格納されている、再利用の要求があったアフィリエイトコンテンツを複製する。
【０１７４】
ステップＳ２１４において、ユーザＩＤ管理部１２７は、複製されたアフィリエイトコンテンツに、ユーザＤＢ２１に格納されている２次ユーザＩＤを付与する。
【０１７５】
ステップＳ２１５において、送信制御部１２２は、２次ユーザＩＤが付与されたアフィリエイトコンテンツを、予め２次ユーザにより指定されたポスト先メディアを管理するメディア管理サーバ３２−２に送信する。
【０１７６】
これにより、サーバ１１側の再利用処理は終了する。
【０１７７】
ステップＳ２３１において、メディア管理サーバ３２−２は、サーバ１１から送信されてきたアフィリエイトコンテンツを受信する。
【０１７８】
ステップＳ２３２において、メディア管理サーバ３２−２は、２次ユーザ端末３１−２に対して各種データや各種制御情報を送信することで、２次ユーザ端末３１−２におけるアフィリエイトコンテンツの表示を制御する。
【０１７９】
これにより、メディア管理サーバ３２−２側の再利用処理は終了する。
【０１８０】
２次ユーザ端末３１−２においては、受信制御部１５４が、メディア管理サーバ３２−２から送信されてきた各種データや各種制御情報を受信すると、処理はステップＳ１９３に進む。
【０１８１】
ステップＳ１９３において、出力制御部１５５は、メディア管理サーバ３２−２からの各種データや各種制御情報に基づいて、アフィリエイトコンテンツを出力部８８に表示させる。
【０１８２】
これにより、２次ユーザ端末３１−２側の再利用処理は終了する。
【０１８３】
[広告ページ表示処理]
次に、図１５と図１６を参照して、情報処理システム１が広告ページを表示する一連の処理である広告ページ表示処理について説明する。
【０１８４】
[広告ページ表示処理が実行される場合のサーバとユーザ端末の機能的構成例]
図１５は、図３に示されるサーバ１１のCPU５１と、図５に示されるユーザ端末３１のCPU８１との各々が有する機能のうち、広告ページ表示処理を実現させるための機能的構成例を示すブロック図である。
【０１８５】
広告ページ表示処理が実行される場合、図１５に示されるように、閲覧者ユーザ端末３１−Ｗ（Ｗは、１乃至Ｎのうちの何れかの整数値）のCPU８１においては、受付部１５２、送信制御部１５３、受信制御部１５４、出力制御部１５５、及び解析部１５６が機能する。
【０１８６】
サーバ１１のCPU５１において、広告ページ表示処理が実行される場合には図１５に示されるように、受信制御部１２０、送信制御部１２２、及び報酬演算部１２８が機能する。
【０１８７】
なお、図示の簡略化のため、各ＤＢの間の関連付けを示す矢印は省略しているが、実際には図４に示されるような関連付けがなされている。
【０１８８】
次に、図１６を参照して、広告ページ表示処理の流れを説明するが、その際に、図１５に示される各機能ブロックの詳細について併せて説明する。
【０１８９】
[広告ページ表示処理の流れ]
図１６は、広告ページ表示処理の流れについて説明するフローチャートである。図１６には左方から順に、閲覧者ユーザ端末３１−Ｗ側の広告ページ表示処理の流れについて説明するフローチャート、サーバ１１側の広告ページ表示処理の流れについて説明するフローチャート、メディア管理サーバ３２側の広告ページ表示処理の流れについて説明するフローチャート、及び広告主端末３３側の広告ページ表示処理の流れについてフローチャートのそれぞれが示されている。なお、図１６における４つのフローチャートを結ぶ左右方向の矢印は、情報の流れを示している。
【０１９０】
ステップＳ２５１において、閲覧者ユーザ端末３１−Ｗの受付部１５２は、閲覧者ユーザの入力部８７に対する操作により入力されたメディアの表示指示を受け付ける。
【０１９１】
ステップＳ２５２において、送信制御部１５３は、メディアの表示指示をメディア管理サーバ３２へ送信する。
【０１９２】
ステップＳ２９１において、メディア管理サーバ３２は、閲覧者ユーザ端末３１−Ｗから送信されてきたメディアの表示指示を受信する。
【０１９３】
ステップＳ２９２において、メディア管理サーバ３２は、閲覧者ユーザ端末３１−Ｗに対して各種データや各種制御情報を送信することで、閲覧者ユーザ端末３１−Ｗにおけるメディアの表示を制御する。
【０１９４】
閲覧者ユーザ端末３１−Ｗにおいては、受信制御部１５４が、メディア管理サーバ３２から送信されてきた各種データや各種制御情報を受信すると、処理はステップＳ２５３に進む。
【０１９５】
ステップＳ２５３において、出力制御部１５５は、メディア管理サーバ３２からの各種データや各種制御情報に基づいて、メディアを出力部８８に表示させる。
【０１９６】
メディアが表示されると、処理はステップＳ２５４に進む。なお、ステップＳ２５４以降の処理については後述する。
【０１９７】
ステップＳ２９３において、メディア管理サーバ３２は、閲覧者ユーザ端末３１−Ｗにおいてメディアを表示させた旨の通知を、サーバ１１に送信する。
【０１９８】
ステップＳ２７１において、サーバ１１の受信制御部１２０は、メディア管理サーバ３２から送信されてきた通知を受信する。
【０１９９】
ステップＳ２７２において、送信制御部１２２は、閲覧者ユーザ端末３１−Ｗにおいて表示されたメディアに含まれるコンテンツが、アフィリエイトコンテンツであるか否かを判定する。例えば、送信制御部１２２は、メディアに含まれるコンテンツにアフィリエイトコンテンツＩＤが付与されているか否かを解析し、付与されている場合には、コンテンツがアフィリエイトコンテンツであると判定する。
【０２００】
閲覧者ユーザ端末３１−Ｗにおいて表示されたメディアに含まれるコンテンツが、アフィリエイトコンテンツであるとステップＳ２７２において判定された場合、処理はステップＳ２７３に進む。
【０２０１】
ステップＳ２７３において、送信制御部１２２は、アフィリエイトコンテンツＤＢ２４にアクセスして、アフィリエイトコンテンツを取得する。このとき、図１２のステップＳ１４８の処理で、アフィリエイトコンテンツに広告ページの広告ＩＤが関連付けられていた場合には、送信制御部１２２は、関連付けられている広告ＩＤも取得する。
【０２０２】
ステップＳ２７４において、送信制御部１２２は、取得したアフィリエイトコンテンツをメディア管理サーバ３２に送信する。このとき、ステップＳ２７３の処理で広告ＩＤが取得された場合には、送信制御部１２２は、取得された広告ＩＤをアフィリエイトコンテンツに付加して送信する。
【０２０３】
ステップＳ２９４において、メディア管理サーバ３２は、サーバ１１から送信されてきたアフィリエイトコンテンツを受信する。
【０２０４】
ステップＳ２９５において、メディア管理サーバ３２は、閲覧者ユーザ端末３１−Ｗに対して各種データや各種制御情報を送信することで、閲覧者ユーザ端末３１−Ｗにおけるアフィリエイトコンテンツの表示を制御する。なお、ステップＳ２９６以降の処理については後述する。
【０２０５】
閲覧者ユーザ端末３１−Ｗにおいては、受信制御部１５４が、メディア管理サーバ３２−１から送信されてきた各種データや各種制御情報を受信すると、処理はステップＳ２５４に進む。なお、ステップＳ２５４以降の処理については後述する。
【０２０６】
これに対して、ステップＳ２７２の判定処理において、閲覧者ユーザ端末３１−Ｗにおいて表示されたメディアに含まれるコンテンツが、アフィリエイトコンテンツでないと判定された場合、処理はステップＳ２７９に進む。
【０２０７】
ステップＳ２７９において、送信制御部１２２は、アフィリエイトコンテンツでない旨の通知をメディア管理サーバ３２に送信する。これにより、サーバ１１側の広告ページ表示処理は終了する。
【０２０８】
ステップＳ２９６において、メディア管理サーバ３２は、サーバ１１からアフィリエイトコンテンツでない旨の通知を受信したか否かを判定する。
【０２０９】
サーバ１１からアフィリエイトコンテンツでない旨の通知を受信したとステップＳ２９６において判定された場合、処理はステップＳ２９７に進む。
【０２１０】
ステップＳ２９７において、メディア管理サーバ３２は、閲覧者ユーザ端末３１−Ｗに対して各種データや各種制御情報を送信することで、閲覧者ユーザ端末３１−Ｗにおけるコンテンツの表示を制御する。
【０２１１】
閲覧者ユーザ端末３１−Ｗにおいては、受信制御部１５４が、メディア管理サーバ３２−１から送信されてきた各種データや各種制御情報を受信すると、処理はステップＳ２５４に進む。なお、ステップＳ２５４以降の処理については後述する。
【０２１２】
これに対して、ステップＳ２９６の判定処理において、サーバ１１からアフィリエイトコンテンツでない旨の通知を受信しないと判定された場合、メディア管理サーバ３２側の広告ページ表示処理は終了する。
【０２１３】
ステップＳ２５４において、閲覧者ユーザ端末３１−Ｗの出力制御部１５５は、メディア管理サーバ３２からの各種データや各種制御情報（ステップＳ２９５，Ｓ２９７）に基づいて、アフィリエイトコンテンツまたはコンテンツを出力部８８において表示させる。
【０２１４】
ステップＳ２５５において、受付部１５２は、閲覧者ユーザの入力部８７に対する操作により入力された、アフィリエイトコンテンツの閲覧指示、例えばアフィリエイトコンテンツを選択する操作（クリック等）を受け付ける。
【０２１５】
ステップＳ２５６において、解析部１５６は、アフィリエイトコンテンツに広告ＩＤが付加されているかを判定する。
【０２１６】
アフィリエイトコンテンツに広告ＩＤが付加されているとステップＳ２５６において判定された場合、処理はステップＳ２５７に進む。
【０２１７】
ステップＳ２５７において、送信制御部１５３は、アフィリエイトコンテンツに付加されている広告ＩＤをサーバ１１へ送信する。
【０２１８】
ステップＳ２７５において、サーバ１１の受信制御部１２０は、閲覧者ユーザ端末３１−Ｗから送信されてきたアフィリエイトコンテンツの広告ＩＤを受信する。
【０２１９】
ステップＳ２７６において、送信制御部１２２は、ステップＳ２７５の処理で受信された広告ＩＤに関連するURIを広告ＤＢ２３から抽出する。
【０２２０】
ステップＳ２７７において、送信制御部１２２は、抽出されたURIに基づいて、広告主端末３３が管理する広告主ページへリダイレクトする。即ち、送信制御部１２２は、アフィリエイトコンテンツと関連付けられた広告ページを表示する制御を実行させるために、広告主端末３３にリダイレクトする。なお、ステップＳ２７８以降の処理については後述する。
【０２２１】
ステップＳ３１１において、広告主端末３３は、サーバ１１からリダイレクトされると、閲覧者ユーザ端末３１−Ｗに対して各種データや各種制御情報を送信することで、閲覧者ユーザ端末３１−Ｗにおける広告ページの表示を制御する。
【０２２２】
これにより、広告主端末３３側の広告ページ表示処理は終了する。
【０２２３】
閲覧者ユーザ端末３１−Ｗにおいては、受信制御部１５４が、広告主端末３３から送信されてきた各種データや各種制御情報を受信すると、処理はステップＳ２５８に進む。
【０２２４】
ステップＳ２５８において、出力制御部１５５は、広告主端末３３からの各種データや各種制御情報に基づいて、広告ページを出力部８８に表示させる。これにより、閲覧者ユーザ端末３１−Ｗの広告ページ表示処理は終了する。
【０２２５】
これに対して、ステップＳ２５６の判定処理において、アフィリエイトコンテンツに広告ＩＤが付加されていないと判定された場合、処理はステップＳ２５９に進む。
【０２２６】
ステップＳ２５９において、送信制御部１５３は、広告ＩＤがない旨の通知をサーバ１１へ送信する。この場合、サーバ１１側では、広告ＩＤがない旨の通知が受信されると、広告ページ表示処理は強制的に終了となる。
【０２２７】
これにより、閲覧者ユーザ端末３１−Ｗの広告ページ表示処理は終了する。
【０２２８】
ステップＳ２７８において、サーバ１１の報酬演算部１２８は、アフィリエイトコンテンツの送客時刻情報を送客情報ＤＢ２５に記録する。即ち、報酬演算部１２８は、アフィリエイトコンテンツの閲覧指示に基づいて広告ページが表示された時刻情報を、送客情報ＤＢ２５に記録する。
【０２２９】
これにより、サーバ１１側の広告ページ表示処理は終了する。
【０２３０】
[報酬配分処理]
次に、図１７と図１８を参照して、情報処理システム１が報酬を配分する一連の処理である報酬配分処理について説明する。
【０２３１】
[報酬配分処理が実行される場合のサーバとユーザ端末の機能的構成例]
図１７は、図３に示されるサーバ１１のCPU５１と、図５に示されるユーザ端末３１のCPU８１との各々が有する機能のうち、報酬配分処理を実現させるための機能的構成例を示すブロック図である。
【０２３２】
報酬配分処理が実行される場合、図１７に示されるように、ユーザ端末３１のCPU８１においては、受信制御部１５４が機能する。
【０２３３】
サーバ１１のCPU５１において、報酬配分処理が実行される場合には図１７に示されるように、受信制御部１２０、送信制御部１２２、及び報酬演算部１２８が機能する。
【０２３４】
なお、図示の簡略化のため、各ＤＢの間の関連付けを示す矢印は省略しているが、実際には図４に示されるような関連付けがなされている。
【０２３５】
次に、図１８を参照して、報酬配分処理の流れを説明するが、その際に、図１７に示される各機能ブロックの詳細について併せて説明する。
【０２３６】
[報酬配分処理の流れ]
図１８は、報酬配分処理の流れについて説明するフローチャートである。図１８には左方から順に、１次ユーザ端末３１−１側の報酬配分処理の流れについて説明するフローチャート、２次ユーザ端末３１−２側の報酬配分処理の流れについて説明するフローチャート、サーバ１１側の報酬配分処理の流れについて説明するフローチャート、及び広告主端末３３側の報酬配分処理の流れについて説明するフローチャートのそれぞれが示されている。なお、図１８における４つのフローチャートを結ぶ左右方向の矢印は、情報の流れを示している。例えば、報酬のやりとりは電子マネーを用いて行われる。
【０２３７】
ステップＳ３６１において、サーバ１１の報酬演算部１２８は、定期的にユーザＤＢ２１、アフィリエイトコンテンツＤＢ２４、及び送客情報ＤＢ２５を参照して、広告主端末３３に請求する請求額を演算する。即ち、報酬演算部１２８は、送客情報ＤＢ２５に格納された送客時刻情報から、ユーザが広告ページに送客された回数（広告ページが表示された回数）を集計して、回数に応じた請求額を演算する。
【０２３８】
ステップＳ３６２において、送信制御部１２２は、演算された請求額の情報を広告主端末３３に送信する。
【０２３９】
ステップＳ３８１において、広告主端末３３は、サーバ１１から送信されてきた請求額を受信する。
【０２４０】
ステップＳ３８２において、広告主端末３３は、請求額に応じた報酬をサーバ１１に送信する。
【０２４１】
これにより、広告主端末３３側の報酬配分処理は終了する。
【０２４２】
ステップＳ３６３において、サーバ１１の受信制御部１２０は、広告主端末３３から送信されてきた報酬を受信する。
【０２４３】
ステップＳ３６４において、報酬演算部１２８は、システム管理者分の報酬を差し引く。
【０２４４】
ステップＳ３６５において、報酬演算部１２８は、アフィリエイトコンテンツＤＢに予め設定されている設定上限までユーザＩＤが登録されているか否かを判定する。
【０２４５】
設定上限までユーザＩＤが登録されているとステップＳ３６５において判定された場合、処理はステップＳ３６６に進む。
【０２４６】
ステップＳ３６６において、報酬演算部１２８は、実績に応じた報酬額を演算し、演算された報酬を１次ユーザ端末３１−１と２次ユーザ端末３１−２に配分する。即ち、報酬演算部１２８は、ステップＳ３６３の処理で受信された報酬全体から、ステップＳ３６４の処理でシステム管理者分の報酬が差し引かれた後の残額を、広告ページへの送客回数に応じて１次ユーザ端末３１−１と２次ユーザ端末３１−２にそれぞれ配分する。
【０２４７】
これに対して、設定上限までユーザＩＤが登録されていないとステップＳ３６５において判定された場合、処理はステップＳ３６７に進む。
【０２４８】
ステップＳ３６７において、報酬演算部１２８は、余剰分の報酬をシステム管理者にさらに配分すべく、余剰分の報酬を差し引く。余剰分の報酬は、例えば、ユーザＩＤが登録されているユーザ間で、設定上限までユーザＩＤが登録されている場合の割合と同じ割合で報酬を分けたときの残りの金額として求められる。その後、処理はステップＳ３６６に進む。
【０２４９】
ステップＳ３６７の処理の後のステップＳ３６６において、報酬演算部１２８は、実績に応じた報酬額を演算し、演算された報酬を１次ユーザ端末３１−１と２次ユーザ端末３１−２に配分する。即ち、報酬演算部１２８は、ステップＳ３６３の処理で受信された報酬全体から、ステップＳ３６４及びステップＳ３６７のそれぞれの処理でシステム管理者の分の報酬が差し引かれた後の残額を、広告ページへの送客回数に応じて１次ユーザ端末３１−１と２次ユーザ端末３１−２にそれぞれ配分する。
【０２５０】
これにより、サーバ１１側の報酬配分処理は終了する。
【０２５１】
ステップＳ３３１において、１次ユーザ端末３１−１の受信制御部１５４は、サーバ１１から送信されてきた報酬を受信する。
【０２５２】
これにより、１次ユーザ端末側の報酬配分処理は終了する。
【０２５３】
ステップＳ３４１において、２次ユーザ端末３１−２の受信制御部１５４は、サーバ１１から送信されてきた報酬を受信する。
【０２５４】
これにより、２次ユーザ端末側の報酬配分処理は終了する。
【０２５５】
従来においては、特開２０１０−０８６３３１号公報に記載のように、広告主からの報酬は、リンク元サイトの管理者のみに支払われ、マルチメディアコンテンツを多次的に共有したユーザには支払われなかった。しかしながら、本技術の情報処理システム１によれば、UGCを多次的に共有したユーザＵに対しても、広告主からの報酬を分配することができる。
【０２５６】
[変形例]
上述の例では、コンテンツから抽出されたキーワードと広告ページに関連するキーワードとがマッチングされて、キーワードが一致する場合に、コンテンツに対して広告ページのURIが関連付けられた。しかしながら、マッチングの対象はキーワードに限定されず、画像や音声であってもよい。
【０２５７】
また、上述の例では、アフィリエイトコンテンツＤＢ２４において、登録できるユーザＩＤの数の上限が予め設定されていた。即ち、アフィリエイトコンテンツを再利用できるユーザの数は、システム管理者または広告主によって予め設定されていた。しかしながら、アフィリエイトコンテンツを再利用できるユーザの数は、１次ユーザが設定できるようにしてもよい。
【０２５８】
[本技術のプログラムへの適用]
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【０２５９】
例えば、コンピュータの一例である図３のサーバ１１若しくは図５のユーザ端末３１において、図３のCPU５１若しくは図５のCPU８１が、例えば、図３の記憶部５８若しくは図５の記憶部８９に記憶されているプログラムを、図３の入出力インタフェース５５若しくは図５の入出力インタフェース８５、並びに図３のバス５４若しくは図５のバス８４を介して、図３のRAM５３若しくは図５のRAM８３にロードして実行することにより、上述した一連の処理が行われる。
【０２６０】
コンピュータが実行するプログラムは、例えば、パッケージメディア等としての図３のリムーバブルメディア６１又は図５のリムーバブルメディア９２に記録して提供することができる。また、プログラムは、ローカルエリアネットワーク、インターネット、デジタル衛星放送といった、有線または無線の伝送媒体を介して提供することができる。
【０２６１】
コンピュータでは、プログラムは、図３のリムーバブルメディア６１又は図５のリムーバブルメディア９２を図３のドライブ６０又は図５のドライブ９１に装着することにより、図３の入出力インタフェース５５又は図５の入出力インタフェース８５を介して、図３の記憶部５８又は図５の記憶部８９にインストールすることができる。また、プログラムは、有線または無線の伝送媒体を介して、図３の通信部５９又は図５の通信部９０で受信し、図３の記憶部５８又は図５の記憶部８９にインストールすることができる。その他、プログラムは、図３のROM５２又は図５のROM８２や図３の記憶部５８又は図５の記憶部８９に、あらかじめインストールしておくことができる。
【０２６２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２６３】
本技術の実施の形態は、上述した実施の形態に限定されるものではなく、本技術の要旨を逸脱しない範囲において種々の変更が可能である。
【０２６４】
例えば、本技術は、１つの機能をネットワークを介して複数の装置で分担、共同して処理するクラウドコンピューティングの構成をとることができる。
【０２６５】
また、上述のフローチャートで説明した各ステップは、１つの装置で実行する他、複数の装置で分担して実行することができる。
【０２６６】
さらに、１つのステップに複数の処理が含まれる場合には、その１つのステップに含まれる複数の処理は、１つの装置で実行する他、複数の装置で分担して実行することができる。
【０２６７】
なお、本技術は、以下のような構成もとることができる。
（１）
第１のユーザにより第１のポスト先が指定されたコンテンツと所定の広告とを関連付ける関連付部と、
前記関連付部により前記所定の広告と関連付けられた前記コンテンツを、アフィリエイトコンテンツとして前記第１のポスト先に送信し、前記第１のポスト先において前記アフィリエイトコンテンツが再生されて、第２のユーザにより第２のポスト先が指定された場合、前記第２のポスト先が指定された前記アフィリエイトコンテンツの複製を、前記第２のポスト先に送信する送信制御部と
を備える情報処理装置。
（２）
前記コンテンツを解析してキーワードを抽出する抽出部
をさらに備え、
前記関連付部は、前記抽出部により抽出された前記キーワードと、前記所定の広告に関連するキーワードとが一致した場合、前記コンテンツと前記所定の広告とを関連付ける
前記（１）に記載の情報処理装置。
（３）
前記送信制御部は、前記アフィリエイトコンテンツの再生の指示が受け付けられた場合、前記所定の広告にリダイレクトする
前記（１）または（２）に記載の情報処理装置。
（４）
前記アフィリエイトコンテンツの再生の指示が受け付けられて前記所定の広告が再生された回数を記録し、前記回数に基づいて、広告主に対する請求額を演算する報酬演算部
をさらに備える
前記（１）乃至（３）のいずれかに記載の情報処理装置。
（５）
前記報酬演算部は、前記請求額に基づいて、前記第１のユーザと、前記第２のユーザとのそれぞれの報酬額を演算する
前記（１）乃至（４）のいずれかに記載の情報処理装置。
（６）
第１のユーザからコンテンツの第１のポスト先の指定を受け付ける受付部と、
前記第１のポスト先が指定された前記コンテンツをサーバに送信する送信制御部と
を有するユーザ端末と、
前記ユーザ端末から受信した、前記第１のユーザにより前記第１のポスト先が指定された前記コンテンツと所定の広告とを関連付ける関連付け部と、
前記関連付部により前記所定の広告と関連付けられた前記コンテンツを、アフィリエイトコンテンツとして前記第１のポスト先に送信し、前記第１のポスト先において前記アフィリエイトコンテンツが再生されて、第２のユーザにより第２のポスト先が指定された場合、前記第２のポスト先が指定された前記アフィリエイトコンテンツの複製を、前記第２のポスト先に送信する送信制御部と
を有するサーバと
を備える
情報処理システム。
【０２６８】
本技術は、広告を提供するサービスの分野で使用されるサーバ等の情報処理装置に広く適用することができる。
【符号の説明】
【０２６９】
１  情報処理システム，  １１  サーバ，  ３１  ユーザ端末，  ３２  メディア管理サーバ，  ３３  広告主端末，  １２０  受信制御部，  １２１  認証部，  １２２  送信制御部１２２，  １２３  抽出部，  １２４  照会部，  １２５  関連付部，  １２６  アフィリエイトコンテンツ作成部，  １２７  ユーザＩＤ管理部，  １２８  報酬演算部，  １５１  コンテンツ取得部，  １５２  受付部，  １５３  送信制御部，  １５４  受信制御部，  １５５  出力制御部，  １５６  解析部
【図１】
2013141102.tif 000003
【図２】
2013141102.tif 000004
【図３】
2013141102.tif 000005
【図４】
2013141102.tif 000006
【図５】
2013141102.tif 000007
【図６】
2013141102.tif 000008
【図７】
2013141102.tif 000009
【図８】
2013141102.tif 000010
【図９】
2013141102.tif 000011
【図１０】
2013141102.tif 000012
【図１１】
2013141102.tif 000013
【図１２】
2013141102.tif 000014
【図１３】
2013141102.tif 000015
【図１４】
2013141102.tif 000016
【図１５】
2013141102.tif 000017
【図１６】
2013141102.tif 000018
【図１７】
2013141102.tif 000019
【図１８】
2013141102.tif 000020
【国際調査報告】
2013141102.tif 000021
2013141102.tif 000022